【手続補正書】
【提出日】平成27年1月13日(2015.1.13)
【手続補正１】
【補正対象書類名】明細書
【補正対象項目名】０００４
【補正方法】変更
【補正の内容】
【０００４】
近年普及している録画機器は、大容量のハードディスクドライブを内蔵しており、長時間の録画が可能である。また、上述したようなＧＵＩを利用した遠隔制御を利用することによって、録画機器やテレビのリモコンを用いることなく、容易に番組の録画予約を行うことができるため、録画機器には長時間かつ多数の番組が記録されている場合がある。録画機器に記録されている番組の数が増えたり、録画時間が長くなったりすると、ユーザが希望する番組が録画機器に録画されたかどうかを把握しづらいという問題がある。
【手続補正２】
【補正対象書類名】明細書
【補正対象項目名】００３４
【補正方法】変更
【補正の内容】
【００３４】
まず、シーン情報サーバ２からシーン情報を取得するための機能ブロックとして、録画情報サーバ４は、シーン情報要求部４０と、シーン情報受付部４１と、シーン情報記憶部４２とを備える。
【手続補正３】
【補正対象書類名】明細書
【補正対象項目名】００４２
【補正方法】変更
【補正の内容】
【００４２】
再生指示送信部５４は、対象の録画機器に対して、後述する再生指示受付部５３から指定された番組またはシーンの再生を指示する。
【手続補正４】
【補正対象書類名】明細書
【補正対象項目名】００５１
【補正方法】変更
【補正の内容】
【００５１】
図５に示した録画情報サーバ４の機能ブロックのうち、シーン情報記憶部４２、録画番組情報記憶部４５、機器ＩＤ記憶部４８は、図１に示した記憶装置１０によって実現される。シーン情報要求部４０、シーン情報受付部４１、録画番組情報要求部４３、録画番組情報受付部４４、録画番組情報記憶部４５、ユーザＩＤ取得部４６、機器ＩＤ送信部４７、機器ＩＤ記憶部４８、表示要求受付部４９、録画番組情報抽出部５０、録画シーン情報抽出部５１、録画シーン情報送信部５２、再生指示受付部５３、再生指示送信部５４は、図１に示したＣＰＵ８がメモリ９上に展開されたプログラムを実行することによって実現される。録画情報サーバ４内の機能ブロックと、シーン情報サーバ２、ユーザ端末７及び録画機器５との通信は、図１に示したネットワークインターフェース１１を通じて行われる。
【手続補正５】
【補正対象書類名】明細書
【補正対象項目名】００７０
【補正方法】変更
【補正の内容】
【００７０】
録画情報サーバ４がユーザ端末７からのログインを受け付けると、ユーザＩＤ取得部４６は、ユーザ端末７から送信されたログイン情報からユーザＩＤを取得する（ステップＳ４０）。ユーザＩＤ取得部４６がユーザＩＤを取得すると、機器ＩＤ送信部４７は、機器ＩＤ記憶部４８から、取得したユーザＩＤに関連付けられた機器ＩＤを取得する（ステップＳ４１）。機器ＩＤ送信部は、ユーザＩＤに対応する機器ＩＤが複数存在するか否かを判定する（ステップＳ４２）。ユーザＩＤに対応する機器ＩＤが複数存在する場合（ステップＳ４２でＹｅｓ）、機器ＩＤ送信部４７は、機器ＩＤ記憶部４８から取得した複数の機器ＩＤをユーザ端末７に送信し（ステップＳ４３）、ユーザからの機器選択によって操作対象となる機器の機器ＩＤを特定する（ステップＳ４４）。ユーザＩＤに対応する機器ＩＤが複数存在しない場合は（ステップＳ４２でＮｏ）、機器ＩＤ記憶部４８から取得した機器ＩＤを、操作対象となる機器の機器ＩＤと特定する（ステップＳ４４）。
【手続補正６】
【補正対象書類名】明細書
【補正対象項目名】００９０
【補正方法】変更
【補正の内容】
【００９０】
キーワード受付部５５がユーザ端末７から、キーワードを受け付けると（ステップＳ７０）、キーワード受付部５５は、録画番組情報抽出部５０に録画番組情報の抽出を指示すると共に、録画シーン情報抽出部５１にキーワードを含む録画シーン情報の抽出を指示する。録画番組情報抽出部５０は、録画番組情報記憶部４５から機器ＩＤに対応付けられた録画番組情報を抽出する（ステップＳ７１）。次に、録画シーン情報抽出部５１は、録画番組情報抽出部５０が抽出した番組情報とシーン情報記憶部４２に格納されているシーン情報とを関連付け、録画シーン情報を生成する（ステップＳ７２）。次に、録画シーン情報抽出部５１は、録画シーン情報抽出部５１が生成した録画シーン情報から、キーワードを含むデータを抽出し、抽出した録画シーン情報を録画シーン情報送信部５２に出力する（ステップＳ７３）。次に、録画シーン情報送信部５２は、録画シーン情報抽出部５１から受け取った録画シーン情報をユーザ端末７に送信する（ステップＳ７４）。次に、再生指示受付部５３がユーザ端末７からシーンの選択を受け付けると（ステップＳ７５）、再生指示送信部５４は、録画機器５に対して選択されたシーンの再生指示を送信する（ステップＳ７６）。
【手続補正７】
【補正対象書類名】明細書
【補正対象項目名】０１２１
【補正方法】変更
【補正の内容】
【０１２１】
本実施形態に係るユーザ端末７は、ユーザ入力受付部７０と、録画シーン情報要求部７１と、録画シーン情報受信部７２と、録画シーン情報記憶部７３と、録画シーン情報表示部７４と、表示部７５と、再生要求送信部７６とを備える。
【手続補正８】
【補正対象書類名】明細書
【補正対象項目名】０１２４
【補正方法】変更
【補正の内容】
【０１２４】
録画シーン情報受信部７２は、録画情報サーバ４から送信される録画シーン情報を受信し、受信した録画シーン情報を録画シーン情報記憶部７３に格納する。録画シーン情報受信部７２が受信する録画シーン情報は、第１の実施形態において録画情報サーバ４が作成したものと同じである。
【手続補正９】
【補正対象書類名】明細書
【補正対象項目名】０１２５
【補正方法】変更
【補正の内容】
【０１２５】
録画シーン情報表示部７４は、ユーザ入力受付部７０からの指示に応じて、録画シーン情報記憶部７３から録画シーン情報を取得し、取得した録画シーン情報を表示部７５に表示させる。
【手続補正１０】
【補正対象書類名】明細書
【補正対象項目名】０１２７
【補正方法】変更
【補正の内容】
【０１２７】
録画シーン情報記憶部７３は、ハードディスクドライブ、フラッシュメモリ、ソリッドステートドライブ、光ディスク等のユーザ端末７が備える記憶媒体（図示せず）によって実現される。ユーザ入力受付部７０と、録画シーン情報要求部７１と、録画シーン情報受信部７２と、録画シーン情報表示部７４と、再生要求送信部７６とは、ユーザ端末７が備えるＣＰＵ（図示せず）またはマイクロコンピュータ（図示せず）がメモリ（図示せず）上のプログラムを実行することによって実現される。ユーザ端末７内の機能ブロックと、録画情報サーバ４との通信は、ネットワークインターフェース（図示せず）を通じて行われる。
【手続補正１１】
【補正対象書類名】明細書
【補正対象項目名】０１６９
【補正方法】変更
【補正の内容】
【０１６９】
おすすめ度設定部１０９は、シーン情報に含まれるシーン説明文から抽出した単語の出現頻度に基づいておすすめ度を設定する。例えば、あるシーンの説明文として、シーン情報に、「東京市場の為替動向をウォッチする」という文章が含まれている場合、「東京市場」、「為替動向」などの単語を抽出し、過去の所定日数のそれぞれの単語の出現頻度を求める。単語の出現頻度は、全放送番組を対象として求めても良いし、ユーザが録画した番組を対象として求めても良い。おすすめ度設定部１０９は、予め用意された変換規則に従って、出現頻度をおすすめ度に変換し、得られたおすすめ度をシーン情報記憶部４２内のシーン情報に書き込む。変換規則としては、優先度毎に出現頻度の範囲を定めた変換テーブルなどを利用し、ある１日の出現頻度のみに基づいておすすめ度を設定しても良い。また、複数日の出現頻度の相対比較に基づいて、おすすめ度を設定しても良い。例えば、ある１日（Ｎ日）の出現頻度が、「東京市場」  １０回、「為替動向」  ３０回であり、その前日である（Ｎ−１）日の出現頻度が、「東京市場」  ５回、「為替動向」  ２０回だったとする。その場合、Ｎ日と（Ｎ−１）日の出現頻度の差は、「東京市場」  ５回、「為替動向」  １０回であり、「為替動向」がＮ日により注目されていると言える。この場合、Ｎ日には、「為替動向」のおすすめ度を相対的に高く設定しても良い。これらの手法は一例であり、ある単語の過去一定期間（例えば、過去１週間）の総出現数に基づいておすすめ度を設定したり、過去一定期間の平均出現数と当日の出現数との比較に基づいておすすめ度を設定したりしても良い。
【手続補正１２】
【補正対象書類名】明細書
【補正対象項目名】０１８１
【補正方法】変更
【補正の内容】
【０１８１】
本実施形態に係る録画情報サーバ４は、第１の実施形態に係る録画情報サーバに加えて、キーワード受付部８０と、キーワード記憶部８１とを更に備える。更に、第１０の実施形態に係る機器ＩＤ記憶部４８と、録画シーン情報抽出部５１と、録画シーン情報送信部５２とが、機器ＩＤ／アドレス記憶部８２と、録画シーン情報抽出部６４と、メール送信部８３とに置き換えられている。キーワード記憶部８１と、機器ＩＤ／アドレス記憶部８２とは、図１に示した記憶装置１０によって実現される。キーワード受付部８０と、録画シーン情報抽出部６４と、メール送信部８３とは、図１に示したＣＰＵ８がメモリ９上のプログラムを実行することによって実現される。
【手続補正１３】
【補正対象書類名】明細書
【補正対象項目名】０２２４
【補正方法】変更
【補正の内容】
【０２２４】
ここで、通知条件として、上述した特定の時間や特定の場所の他に、ユーザ端末７以外の特定の機器に接触したこと、または、ユーザ端末７以外の特定の機器の近くを通ったことを設定しても良い。ユーザ端末７が、特定の機器と接触したことや、特定の機器の近くを通ったことは、近距離無線通信や、無線通信等によって検出することができる。特定の機器の例としては、テレビ、録画機、自動販売機、自動改札機、駅の券売機、コンサートなどのチケット券売機、ポイント発行機など、ネットワークに接続されているあらゆる機器を利用できる。特定の機器とユーザ端末７との接触または近接の検出は、ユーザ端末７で行っても良いし、特定の機器等が行っても良い。前者の場合、ユーザ端末７が、自身に備わる無線通信装置等を用いて近くにある装置の情報を取得し、特定の機器との接触または近接を判定して、通知条件を満たしたことを録画情報サーバ４に送信しても良い。あるいは、ユーザ端末７が、取得した装置の情報（装置の種類）を録画情報サーバ４に送信し、録画情報サーバ４が特定の機器とユーザ端末７との接触または近接を判定しても良い。後者の場合、特定の機器が無線通信等によって近くにあるユーザ端末７を認識し、ユーザ端末４から取得したユーザＩＤや機器ＩＤ等を録画情報サーバ４に送信することで、特定の機器とユーザ端末７との接触または近接を通知しても良い。
【手続補正１４】
【補正対象書類名】明細書
【補正対象項目名】０２３０
【補正方法】変更
【補正の内容】
【０２３０】
録画シーン情報抽出部６４は、録画番組情報記憶部３２に記憶される録画情報とシーンファイル記憶部６５に記憶されるシーンファイルとを関連付けて、録画番組のシーン一覧情報を作成し、映像出力部３４を介して表示装置６に表示する。また、録画シーン情報抽出部６４は、シーンＩＤや、録画番組と再生時刻の組み合わせといった再生中のシーンを特定する情報を再生制御部３３から受け取り、シーン情報を参照して、再生中のシーンで商品が紹介されているか否かを判定する。この判定を行う際、シーン情報抽出部はシーンファイル記憶部６５に記憶されるシーンファイルを参照しても良いし、作成後にメモリに保持されているシーン一覧情報を参照しても良い。再生中のシーンで商品が紹介されている場合、録画シーン情報抽出部６４は、映像出力部３４に対して商品アイコンを表示するよう指示する。表示装置６上への商品アイコンの表示中に、ユーザ入力受付部６３が商品購入の指示を受け付けると、録画シーン情報抽出部６４は、シーン情報に含まれる商品ＩＤを商品ＩＤ送信部９０に渡し、商品ＩＤの送信を指示する。尚、録画シーン情報抽出部６４は、商品を紹介するシーンの再生が完了して、商品アイコンの表示が終了した後にも、商品購入の指示を受け付け、直前に紹介されていた商品の商品ＩＤを商品ＩＤ送信部９０に渡しても良い。
【手続補正１５】
【補正対象書類名】明細書
【補正対象項目名】０２３８
【補正方法】変更
【補正の内容】
【０２３８】
ユーザ入力受付部６３が、ユーザからの番組またはシーンの再生要求を受け付けると（ステップＳ１８０）、再生制御部３３に対して選択されたシーンの再生を指示する（ステップＳ１８１）。次に、録画シーン情報抽出部６４は、再生制御部３３から再生中のシーンを取得し、再生中のシーンのシーン情報に商品情報が含まれているか否かを判定する（ステップＳ１８２）。録画シーン情報抽出部６４が、再生中のシーンに商品情報が含まれていないと判定した場合（ステップＳ１８３でＮｏ）、商品アイコン表示処理を終了する。一方、録画シーン情報抽出部６４が、再生中のシーンに商品情報が含まれていると判定した場合（ステップＳ１８３でＹｅｓ）、映像出力部３４に商品アイコンの表示を指示する（ステップＳ１８４）。映像出力部３４は、再生制御部３３から出力される再生画像に商品アイコンの画像を重畳して表示装置６に表示させる（ステップＳ１８５）。
【手続補正１６】
【補正対象書類名】明細書
【補正対象項目名】０２４０
【補正方法】変更
【補正の内容】
【０２４０】
ユーザ入力受付部６３が商品購入指示（例えば、図５５のリモコンの商品ボタンを押下されたこと）を受け付けると（ステップＳ１９０）、録画シーン情報抽出部６４は、再生中のシーンのシーン情報に商品情報が含まれていない場合（ステップＳ１９１でＮｏ）は、商品ＩＤ送信処理を終了する。一方、録画シーン情報抽出部６４が、再生中のシーンのシーン情報に商品情報が含まれていると判定した場合は（ステップＳ１９１でＹｅｓ）、録画シーン情報抽出部６４は、シーン情報に含まれる商品ＩＤを商品ＩＤ送信部９０に渡す。商品ＩＤ送信部９０は、録画シーン情報抽出部６４から受け取った商品ＩＤに、ユーザＩＤと機器ＩＤとを組み合わせた情報を録画情報サーバ４に送信する（ステップＳ１９３）。
【手続補正１７】
【補正対象書類名】明細書
【補正対象項目名】０２５０
【補正方法】変更
【補正の内容】
【０２５０】
＜ＩＶ．ユーザ端末の位置に応じた店舗情報を通知＞
シーン情報には、番組で紹介されたレストランや料理店の店舗情報を含ませることができる。店舗情報としては、例えば、名称、住所、電話番号、ＧＰＳ情報などがある。以下の実施形態では、ユーザ端末７から録画情報サーバ４へと送信された位置情報に基づいて、ユーザ端末７の近くにある店舗情報をユーザ端末７に提供するシステムを実現する。より特定的には、録画情報サーバ４が提供する店舗情報は、ユーザが録画機器５で録画した番組で紹介される店舗の情報を含む点に特徴を有する。
【手続補正１８】
【補正対象書類名】明細書
【補正対象項目名】０２８５
【補正方法】変更
【補正の内容】
【０２８５】
位置情報送信部９８は、位置情報蓄積部２０２から過去一定期間分の位置情報を読み出し、読み出した一定期間分の位置情報を録画情報サーバ４に送信する。
【手続補正１９】
【補正対象書類名】明細書
【補正対象項目名】０２９４
【補正方法】変更
【補正の内容】
【０２９４】
再生履歴情報受付部２０４は、録画機器５から送信される再生履歴情報を受信する。再生履歴情報受付部２０４は、受信した再生履歴情報に録画機器５の機器ＩＤを付加した情報を再生履歴情報記憶部２０５に格納する。
【手続補正２０】
【補正対象書類名】明細書
【補正対象項目名】０２９６
【補正方法】変更
【補正の内容】
【０２９６】
再生履歴情報抽出部２０６は、再生履歴情報記憶部２０５に格納されている再生履歴情報を取得し、番組毎に関連付けられている再生開始位置及び再生終了位置の差分から再生時間を求め、この再生時間が所定時間以上であるか否かを判定する。求めた再生時間が所定の閾値以上である場合には、再生履歴情報抽出部２０６は、該当する番組が録画機器５において視聴されたと判定し、それ以外の場合は視聴されていないと判定する。このように、現実の再生時間に基づいて視聴の有無を判定することにより、再生開始直後に停止された場合のように、実質的に番組の視聴されていないとみなせるケースを除外することができ、視聴された番組の情報をより精度良く抽出することができる。再生履歴情報抽出部２０６は、再生履歴情報に基づいて視聴されたと判定した番組の情報を抽出し、録画シーン情報抽出部に渡す。
【手続補正２１】
【補正対象書類名】明細書
【補正対象項目名】０３０３
【補正方法】変更
【補正の内容】
【０３０３】
位置情報受付部１１４が位置情報を受け付けると（ステップＳ２３０）、位置情報受付部１１４は、再生履歴情報抽出部２０６に再生履歴情報の抽出を指示する（ステップＳ２３１）。再生履歴情報抽出部２０６は、再生履歴情報記憶部２０５から再生履歴情報を取得し、再生開始位置及び再生終了位置に基づいて各番組が視聴されたか否かを判定し、視聴されたと判定された番組の情報を抽出する（ステップＳ２３２）。再生履歴情報抽出部２０６は、抽出した録画番組情報を録画シーン情報抽出部５１に出力する。録画シーン情報抽出部５１は、シーン情報記憶部４２からシーン情報を取得し（ステップＳ２３３）、取得した録画番組情報と、シーン情報とを関連付けて店舗情報を作成する（ステップＳ２３４）。次に、ソート部１１５は、録画シーン情報抽出部５１が作成した店舗情報を取得する（ステップＳ２３５）。また、ソート部１１５は、ブックマーク情報記憶部１１８に格納されているブックマーク情報を取得する（ステップＳ２３６）。ソート部１１５は、取得した位置情報、ブックマーク情報に基づき、店舗情報をソートする（ステップＳ２３７）。店舗情報送信部１１６は、ソート部１１５によって作成されたソート済み店舗情報をユーザ端末７に送信する（ステップＳ２３８）。
【手続補正２２】
【補正対象書類名】図面
【補正対象項目名】図２
【補正方法】変更
【補正の内容】
【図２】
2012170060.tif 000001
【手続補正２３】
【補正対象書類名】図面
【補正対象項目名】図１５
【補正方法】変更
【補正の内容】
【図１５】
2012170060.tif 000002
【手続補正２４】
【補正対象書類名】図面
【補正対象項目名】図３５
【補正方法】変更
【補正の内容】
【図３５】
2012170060.tif 000003
【手続補正２５】
【補正対象書類名】図面
【補正対象項目名】図６７
【補正方法】変更
【補正の内容】
【図６７】
2012170060.tif 000004